(57)【要約】      （修正有）【課題】背ボトム、膝ボトム及び脚ボトムからなるべッドにおいて、背ボトムを上傾する負荷を軽減しうる機構を提供する。【解決手段】ベット本体のフレーム１上に背ボトム５を高く支持するフレーム２立設して、そのフレームの上に、連結した背ボトム、膝ボトム６及び脚ボトム７の背ボトムを、ベットに横臥した人の腰の位置を蝶着し、その背ボトムのヘッドボード１４側端を、ヘッドボードに形設した背ボトムを水平に載上する棚４に載せ、膝ボトムの中間を、フレームのフットボード１５側に蝶着して斜めに突設したフレーム９の上端に蝶着し、脚ボトムのフットボード側を、フットボード側のフレーム８上に蝶着したベットで、各ボトムが、フレーム上方に最上しているときは、各ボトムは高く、背ボトムを上傾したときは、膝ボトムの下面がフレーム上に低く当接するように保持するリンク構造に形設した、アクチュエレータで操作するベットである。【選択図】図１ａ
2010246872.tif 000002
【特許請求の範囲】
【請求項１】
フレーム１の上方に突設した上支材２の上端に背ボトム５を、このベットに仰臥し人の腰部または腰部付近の位置を蝶着して、その背ボトムにひざボトム６を蝶着し、そのひざボトムに脚ボトムを蝶着し、その脚フットボード側のフレームに蝶着して斜め上方に突設したひざボトムを上支する部材の上端を蝶着して、ヘットボード側のフレーム上方に、背ボトムのへッじトボードが水平に載る棚を形設しているベット。
【請求項２】
斜支材の上部に、フレームにひざボトムが当接したときのひざボトムを押し上げる圧縮コイルバネを形設した、請求項１のベット。
脚ボトム７を高く支える部材８の上端を請求項１のベット。
【請求項３】
フレームとせぼとむの間にアクチュエータ設けた請求項１および請求項２のベット。
【発明の詳細な説明】
【技術分野】
【０００１】  本発明は、背ボトム３２の上傾とともに、ひざボトム３３及び脚ボトム３４が山型に隆起するベットに関する。
【背景技術】
【０００２】  Ｍ図は、従来のフレーム３１上の背ボトム３２を上傾させると、ひざボトム３３及び脚ボトム３４が山型に隆起するベットの一例の正面図である。【０００３】  図Ｎは、上記のベット３０の背ボトム３２が上傾し、ひざボトム３３と脚ボトム３４が山型に隆起しているときのベット３０の正面図である。【０００４】  図Ｍのベットは、フレーム３１上に、背ボトム３２及び連結したひざボトム３３と脚ボトム３４が水平に載上していて背ボトム３２の下のフレーム３１に、Ｌ字型の上傾アーム３６の長軸側のアームを、先端のローラ３５をヘッドボード３７側に向け、短軸側アーム３８を下に向けて、Ｌ字型の角４０をフレーム３１に軸着している。【０００５】  以上のフレーム３１上の背ボトム３２のフットボード３９側に、連結したひざボトム３３および脚ボトム３４が載上されていて、そのひざボトム３３の下のフレーム３１にＬ字型の上傾アーム４４が、先端にローラ４５を軸着した長軸側４６をフットボード３９側に向け、短軸側５０を下方に向けて、Ｌ字型の角４８をフレーム３１に軸着している。【０００６】  以上のフレーム３１の、Ｌ字型アーム４４の軸着部４８のフットボード３９側の下に、下端に滑車５２を軸着したブラケット５１を下方に突設している。【０００７】  フレーム３１のヘッドボード３７側の下に、アクチュエータ４１が設置されていて、そのアクチュエータ４１のフットボード３９側にスライドアーム４２がフットボード３９方向にまっすぐ突設されていて、そのスライドアーム４２の先端を、フレーム３１の下方に突出している上傾アーム３６の短軸３８の先端部に軸着している。【０００８】  前記のひざボトム３３の下の、Ｌ字型の上傾アーム４４の下方に突出した短軸５０の先端にワイヤ４９は繋がれていて、そのワイヤー４９はいったんフットボード３９側に向かいブラケット５１の滑車５２で反転してヘッドボード３７方向に向かい、アクチュエータ４１のスライドアーム４２の先端に連結されている。【０００９】  図Ｎについて説明する。
図Ｎは、背ボトム３２を上傾した前記のベット３０である。
背ボトム３２上傾のリモコンスイッチ５４を押してアクチュエータ４１を起動すると、スライドアーム４２は短縮して上傾アーム３６の短軸３８の先端を引き寄せ、上傾アーム３６を上傾させて、先端のローラ３５で背ボトム３２の裏面を押して背ボトム３２を上傾する。【００１０】  それと同時に、スライドアーム４２の先端のワイヤー４９は、短縮したスライドアーム４２引き寄せられて、滑車５２で反転して、ひざボトム３３の下の上傾アーム４４の下向きの短軸５０の先端をフットボード３９側に引き寄せ、ローラ４５を上昇させて、連結したひざボトム３３と脚ボトム３４を山型に押し上げる。【００１１】  上傾した背ボトム３２をフレーム３１上に降下するときは、
背ボトム復帰のリモコンスイッチ５５を押してアクチュエータ４１を起動すると、スライドアーム４２は伸長して、短軸３８をフットボード側に押し戻し、上傾アーム３６をフレーム上に復帰し、上傾アームのローラ３５に支えられた背ボトム３２は降下して、図１のようにフレーム３１上に水平に復帰する。【００１２】  それと同時に、スライドアーム４２はフットボード４３側に送り出され、その先端に連結されたワイヤ４９はフットボード側に送り出されて、滑車５２で反転し、Ｌ字型の上傾アーム４４の下向きの短軸５０を引っ張っていたワイヤ４９はゆるみ、ひざボトム３３及び脚ボトム３４はその重さで下降し、その下のローラ４５も下降して、ひざボトム３３及び脚ボトム３４はフレーム３１上に平らに復帰する。
【特許文献１】  特開２００７−６１３６１公報（Ａ）  （第１０頁。第１図および第２図）
【発明の開示】
【発明が解決としようとする課題】
【００１３】  以上説明の従来のベット３０は、背ボトム３２を上傾し、復帰させる機構およびひざボトム３３、脚ボトム３４を山型に隆起させる機構を要し、背ボトム３２を上傾するとき、ひざボトム３３側のへりを支点として、背ボトム３２とともにベットに仰臥した人、マットレス、寝具を上傾させていたから。背ボトム３２の、ベットに仰臥している人の腰の位置を支点として上傾させるのに比べて、その負荷は著しく大きく、背ボトム３２を上傾する機構及びアクチュエータ４１はその大きな負荷に耐える能力を必要とした。
【００１４】  本発明のベットは、背ボトム５、ひざボトム６及び脚ボトム７等を簡単なリンク構造にして、背ボトムの上傾。ひざボトム３３及び脚ボトム３４の連結部を山型に隆起する機構を不要にし、背ボトム５を上傾するとき、ベットに仰臥している人の腰の位置を支点に上傾する構造にして、背ボトム５を上傾する負荷を軽減し、
【００１５】  安静、就寝中のベットが平らなときのベットの高さは、治療しやすく、腰をかがめる介護を楽にする高さに、就床、離床するときは、背ボトム５を上傾させるとひざボトム６が下がって、ひざボトムに座してから就床または離床できるようにし、テレビ鑑賞、読書するときは背ボトムを適当に上傾すると、ひざボトム６が下がって、ひざボトムと脚ボトム７の連結部が山型に隆起し楽な姿勢になる、簡単な構造のベットを提供する。
【課題を解決するための手段】
【００１６】  本発明のベットは、図１ａに示すように、フレーム１の上方に突設した部材（以下、上支材２という。）の上端に背ボトム５を、このベットに仰臥した人の腰部または腰部付近の位置（以下背ボトムの蝶着部３という。）に、ヘッドボード１４側が上傾するように蝶着して、フレーム１のヘッドボード１４端に、背ボトム５が水平に載上する棚４を形設している。
【００１７】  以上の背ボトム５のフットボード１５側のへりに、ひざボトム６を蝶着し、そのひざボトム６のフットボード１５側のへりに脚ボトム７を蝶着して、脚ボトム７のフットボード１５側のへりまたはその近接部を、フットボード１５側のフレーム１６上に蝶着して上方に突設した脚ボトム７を高く支える部材８の上端に蝶着している。
【００１８】  そうしてひざボトム６の中間１１に、フレーム１のフットボード側に蝶着されてひざボトム６に斜上した部材（以下、この部材を斜支材９といい、フレーム１との蝶着部を、蝶着部１０という。）の上端をひざボトム６の中間１１に蝶着している。
【００１９】  なおこの斜支材９のフレーム１との蝶着部１０は、
図１ａに示す、フレーム１上に背ボトム５、ひざボトム６及び脚ボトム７が水平に載上しているときの、ひざボトム６と斜支材９の蝶着部１１と、
図１ｃに示す、背ボトム５を最大に上傾して、ひざボトム６の裏面がフレーム１上に当接したときのひざボトム６の斜支材９との蝶着部１１との間の垂直２等分線上の、フレーム１の上のへりより低い位置に蝶着している。
【００２０】  フレーム１上に背ボトム５を載上する背ボトム５の上支材２の高さは、背ボトム５が所定の角度に上傾できる高さにしている。
【００２１】  以上の、本発明のベットを正面から見ると、フレーム１上の背ボトム５の上支材２からフレーム１、斜支材蝶着部１０までを固定節とし、
背ボトム５の、背ボトムの上支材２の蝶着部３からひざボトム６の蝶着部まで、
ひざボトム６の背ボトム５蝶着部から、ひざボトムの斜支材９の蝶着部１１まで、
および斜支材９で４節リンク機構を形成している。
【００２２】  また、フレーム１の斜支材９の蝶着部１０から、フットボード側のフレーム１６の脚ボトム７を高く支さえる部材８の蝶着部までを固定節として、
斜支材９、
ひざボトム６の斜支材９の蝶着部１１から脚ボトム７の蝶着部までのひざボトム６、
脚ボトム７。
脚ボトム７を高く支える部材８で、５節リンク機構を形成している。
【００２３】  以上の５節リンクにおけるひざボトム６は、４節リンクの背ボトム５の動きで動くリンクで限定した動きであるから、斜支材９、ひざボトム６および脚ボトム７および脚ボトムを高く支える部材８なるリンクは、限定した動きのリンクである。
【発明の効果】
【００２４】  図１ａに示す本発明のベットは、背ボトム５を上傾すると、図１ｂに示すように、ひざボトム６は背ボトム５側に傾いて降下し、ひざボトム６と脚ボトム７の連結部は山型に隆起する。
【００２５】  背ボトム５をさらに上傾して、ひざボトム６がフレーム１に近接すると、背ボトム側に傾いていたひざボトム６は水平に近づき、山型であった、ひざボトム６と背ボトム７の連結部は凹角に反転し、さらに背ボトム５を最大に上傾すると、図１ｃに示すように、ひざボトム６の下面はフレーム１に平らに当接し、脚ボトム７はフットボード１５側からひざボトム６側に向かって低い斜面になる。
なおこのとき、脚ボトム７を載上する部材８の傾斜角は、３０度以上が望ましい。
【００２６】  本発明のベットは以上の説明のように、背ボトム５の傾きに応じて、ひざボトム６及び脚ボトムが従動するリンク構造であるから、背ボトムの上傾、復帰する機構、ひざボトム及び脚ボトムを動かす機構は不要な、簡単な構造である。
なった。
【００２７】  背ボトム５上傾するとき背ボトム５は、ベットに仰臥している人の腰の位置を軸として上傾するから、背ボトムを５上傾する力は著しく軽い。
【００２８】  フレーム上方に背ボトム５、ひざボトム６および脚ボトム７を水平に載上しているときのベットの高さを、ベットに横臥した人の治療に適し、腰をかがめずに介護できる高さに構成することができる。
【００２９】  背ボトム５を最大に上傾したとき、ひざボトムがフレーム１上に平に当接したときのひざボトムの上のベットの高さを、膝ボム上のベットに座って立ち上がりやすい高さに構成できる。
【００３０】  背ボトム５を水平に復帰するときは、上記の逆の現象でフレーム上に水平に復帰する。
【００３１】  また、本発明のベットの背ボトム５は、ひざボトム側のへりではなく、背ボトムの中間の、ベットに仰臥した人の腰の位置を軸として回転するから、背ボトム３２を上傾する負荷は、従来のベットの背ボトム３２上傾に比べて著しく軽い。
【００３２】  しかし、背ボトム５を上傾する角度が大きくなると、背ボトム５の荷重は、ひざボトム６に移って、背ボトム５の上傾速度は急増して、ひざボトム６が沈下速度は急増するから、フレームと背ボトムの間にアクチュエータ９を装備するか、ひざボトム６の降下速度を減速する措置をする。
【００３３】  なお斜支材１０の、背ボトム５を最大に上傾してひざボトム６がフレーム１に当接したときの、狭くなったひざボトム６および脚ボトム７の連結部に近い位置を押し上げる圧縮コイルバネ１３を上支材９に突設して、背ボトム５がヘッドボード側に復帰し始める力を補助する。
【００３４】  アクチュエータ９を使用すると、背ボトム５を適当な角度の傾けて停止することができる。一定の早さで、上傾下降するから、使いやすく安全である。
【００３５】  また、本発明のベットは、フレーム１上に背ボトム５、膝ボトム６及び脚ボトム７を水平に載上したときの就寝、安静時のベットは、治療しやすい高さ、また腰を深く曲げずに介助できる高さで、背ボトム５を最大に上傾すると、ひざボトム６はフレーム１上に、離床しやすい高さに平らに降下するから、治療のためにフレームを高くする機構、および就床、離床のためにフレームを低くする機構は不要になった。
【００３６】  本発明のベットは、ベットに横臥した人の体重の移動でも、背ボトム５を上傾できるが、アクチュエータ９を装備すると、容易に背ボトム５を任意の角度に上傾しての、読書、テレビ鑑賞に健常者の利用が期待される。
【００３７】  足腰の弱い人が、離床するとき、背ボトム５を最大に上傾して体を起こし、下がったひざボトム上に座って立ち上がることが容易である。
【００３８】  以上の本発明のベットは以上の説明のように、それぞれのボトムを動かす機構を必要としない簡素なリンク構造で、各ボトムの傾きは変化し、健常者も読書、テレビを楽しむことができる。
【００３９】  さらに背のボトム５を最大に上傾すると、ひざボトム６はさらに下がって、フレーム１に平らに当接し、ベットに寝ていた人の上体は起きて、離床を容易にする。
就床のときは、背のボトム５を上傾して膝のボトム６を下げて腰掛け、背ボトム５のマットレスに寄りかかり、脚ボトム７に足を伸ばして、背ボトム５を平に戻す。
【００４０】  なお、３図の示すように、ベットのヘッドボード３７とのフレームと背ボトムの裏面の間にアクチュエータに直接設けられ、アクチュレータの取り付けると、さらに背ボトムの上傾、復床、介助作業がらくになる。
【発明を実施するための最良の形態】
【００４１】  また本発明のベットは、背ボトム、ひざボトム及び脚ボトムはを水平にしたときの、ベットに横臥した人の就寝、安静時の高さは、治療に適した高さで高く（またこの高さは腰を曲げて力を入れる介護動作を楽にするた高さと考える。）。
背ボトム５を上傾すると、ひざボトム６と脚ボトム７の連結部が山型に隆起して降下し、背ボトムを最大に上傾すると、ひざボトムは降下してフレーム上に平らに当接し、就床、離床を容易な高さになり、背ボトムを適度に上傾して安楽な姿勢で読書・テレビが楽しめるベットを提供する。
【図面の簡単な説明】
【００４２】
【図１ａ】  上面が平らなときの本発明のベット３０  安息時のときの本発明のベット３０
【図１ｂ】  上体のボトムを最大角度に上傾したときの本発明のベット
【図１ｃ】  本発明のベットのリンク図
【図２】  フレーム上に背ボトム、ひざボトムおよび脚ボトムが水平載上している従来のベット。
【図３】  フレーム上に背ボトムが上傾し、ひざボトムおよび脚ボトムが山型に隆起しているときの従来のベット。
【符号の説明】
【００４３】  １    フレーム
２    （背ボトムの）上支材
３    背ボトムの蝶着部
４    棚
５    背ボトム
６    ひざボトム
７    脚ボトム
８    脚ボトムを高く支える上支材
９    斜支材
１０    斜支材とフレームの蝶着部
１１    ひざボトムの斜支材蝶着部
１２    アクチュエータ
１３    圧縮コイルバネ
１４    ヘッドボード
１５    フットボード
１６    フットボード側のフレーム
３１    フレーム
３２    背ボトム
３３    ひざボトム
３４    脚ボトム
３５    ローラ
３６    短軸
３７    フットボード
３８    Ｌ字型の角
３９    アクチュエータ
４０    スライドアーム
４１    フットボード
４２    スライドアーム
４３    フットボード
４４    上傾アーム
４５    ローラ
４６    Ｌ字型部材の長軸側
４８    Ｌ字型の角
４９    ワイヤ
５０    Ｌ字型部材の短軸
５１    ブラケット
５２    滑車
５４    アクチュエータのスイッチ
５５    アクチュエータのスイッチ
【図１ａ】
2010246872.tif 000003
【図１ｂ】
2010246872.tif 000004
【図１ｃ】
2010246872.tif 000005
【図２】
2010246872.tif 000006
【図３】
2010246872.tif 000007
【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
フレーム１の上方に突設した上支材２上のフットボード側の際に背ボトム５の、このベットに横臥した人の体幹部以上が載る載る背ボトム５の、膝ボトム６側の縁からヘットボード１４側に離れた腰の位置を蝶着し、背ボトム５に連結しているひざボトム６の裏面の中間に、フットボード１５側のフレーム１の位置１０に蝶着して斜上した斜支材９の上端を蝶着し，脚ボトム７は、フットボード１６側のへりまたはそのへりの近接部を、フットボード側のフレーム１６の上の縁に蝶着して上方に突設した部材８の上のへりに蝶着している、各ボトムを高く水平に保持しているリンク構造のベット。
【手続補正２】
【補正対象書類名】明細書
【補正対象項目名】全文
【補正方法】変更
【補正の内容】
【発明の詳細な説明】
【技術分野】
【０００１】                ［請求項］  フレーム１の上方に突設した上支材２上のフットボード側の際に背ボトムの、このベットに横臥した人の体幹部以上が載る載る背ボトムの、膝ボトム側の縁からへットボード側に離れた腰部の位置を蝶着し、背ボトムに連結しているひざボトムは、裏面の中間に、フットボード側のフレームに蝶着して斜上した斜支材の上端を蝶着し，脚ボトムは、フットボード側のへりまたはそのへりの近接部を、フットボード側のフレームの上の縁に蝶着して上方に突設した部材の上のへりに蝶着して、各ボトムを高く水平に保持しているリンク構造のベット。
本発明は、背上げ機能を具備したベットに関する。
【背景技術】
【０００２】              図２は、従来の背上げ機能を具備したベットの一例の、フレーム３１上の各ボトムが水平のときの正面図である。【０００３】              図３は、上記のベット３０が背上げしているときの正面図である。【０００４】              図２について説明する。背ボトム３２を載上している側のフレーム３１にＬ字型の背上げアーム３６を、先端にローラ３５を軸着した長軸側のアーム３７を、先端のローラ３５をヘッドボード５５側に向けてフレーム３１に沿い、短軸側のアーム３８を下に向けて、Ｌ字型の角４０をフレーム３１に軸着している。【０００５】              以上の背ボトム３２のフットボード３９側のフレーム３１上に、連結したひざボトム３３及び脚ボトム３４が載上されていて、そのひざボトム３３の下のフレーム３１にＬ字型の上傾アーム４４が、先端にローラ４５を軸着した長軸側のアーム４６を、先端のローラ４５をフットボード３９側に向け、短軸側のアーム５０を下に向けて、Ｌ字型の角４８をフレーム３１に軸着している。【０００６】  以上のＬ字型上傾アーム４４の軸着部のフットボード３９側のフレーム３１に、下端に滑車５２を軸着したブラケット５１を下方に突設している。【０００７】以上のヘッドボード５５側のフレーム３１の下に、アクチュエータ４１が設置されていて、そのアクチュエータ４１のフットボード３９側にスライドアーム４２がフットボード３９方向に真っ直ぐ突設されていて、そのスライドアーム４２の先端を、フレーム３１の下方に突出している背上げアーム３６の短軸３８の先端４６に軸着し、ワイヤーロープ４３をフットボード３９方向に繋いでいる。【０００８】  前記のフットボード６９側に向かったワイヤロープロープ４３は、ブラケット５１の滑車５２で反転して上傾アーム４４の短軸５０の先端に繋いでいる。【０００９】図３について説明する。
図３は、図２のベットを背上げしたときの正面図である。
背ボトム背上げのリモコンスイッチ５３を押してアクチュエータ４１を起動すると、スライドアーム４２は短縮して背上げアーム３６の短軸３８の先端４６をヘッドボード５５側に引き寄せ、背上げアーム３６を上傾させて、背ボトム３２を上傾する。【００１０】              それと同時に、スライドアーム４２の先端のワイヤロープ４３は、短縮したスライドアーム４２に引き寄せられて、滑車５２で反転して、ひざボトム３３の下の上傾アーム４４の下向きの短軸５０の先端をフットボード３９側に引き寄せ、ローラ４５を上昇させて、連結したひざボトム３３と脚ボトム３４を山型に押し上げる。【００１１】背上げした背ボトム３２をフレーム３１上に降下するときは、
背ボトム復帰のリモコンスイッチ５４を押してアクチュエータ４１を起動すると、スライドアーム４２は伸長して、背上げアーム３６の短軸３８をフットボード側に押し戻して、背上げアーム３６をフレーム３１上に復帰させ、背ボトム３２は図１に示すようにフレーム３１上に平らに復帰する。【００１２】              それと同時に、スライドアーム４２先端のワイヤロープ４３はフットボード側に送り出されて、滑車５２で反転し、Ｌ字型の上傾アーム４４の下向きの短軸５０を引っ張っていたワイヤロープ４３はフットボード側に送り出されて、滑車５２で反転し、Ｌ字型の上傾アーム４４の下向きの短軸５０をフットボード側に戻され、ひざボトム３３及び脚ボトム３４を押し上げていたローラ４５は下降して、膝ボム３３及び脚ボトム３４はフレーム３１上に平らに復帰する。
【先行技術文献】
【特許文献】
【特許文献】  特開２００７−６１３６１公報（Ａ（第１０頁。第１図及び第２図）
【発明の概要】
【発明が解決としようとする課題】
【００１３】              以上説明の背上げ機能を具備した従来のベット３０は、背ボトム３２を背上げし、ひざボトム３３及び脚ボトム３４の山型に隆起し、復帰するベットであったが、背ボトムは、背ボトムのひざボトム側のへりを軸として、ベットに横臥した人の体幹以上その他をて背上げしていたから、背上げの負荷は著しく大きく、アクチュエータなしでは背上げできず、アクチュエータで背上げするための構造を要した。。
【００１４】              本発明のベットは従来の、背ボトムの背上げ、ひざボトム及び脚ボトムを山型に隆起する構造を簡単なリンク構造にして、背ボトムの上傾、ひざボトム及び脚ボトムを山型に隆起する構造をべ不用にし、背ボトムを背上げするとき、ベットに仰臥している人の腰の位置を軸に上傾する構造にして、背ボトムを上傾する負荷を軽減し、
【００１５】              背ボトム、ひざボトム及び脚ボトムがフレーム上に水平に連結しているときは、治療介護しやすいように高く、背ボトムを最高に背上げしたときは、膝ボトムは降下してフレーム上に平らに載上し、膝ボトム上に端座して、容易に離床または就床できる。
背ボトム５を適度に背上げすると、楽な姿勢でテレビ・読書が楽しめる。
以上の機能のベットを簡単な構造で構成する。
【課題を解決するための手段】
【００１６】              本発明のベットは、図１ａに示すように、フレーム１上方に突設した背ボトムを高く支える部材（以下、上支材２という。）の上端のフットボード側の角に背ボトム５の、このベットに仰臥した人の腰の位置（以下背ボトムの蝶着部３という。）を、ヘッドボード１４側が上傾するように蝶着して、フレーム１のヘッドボード１４端に、背ボトム５が水平に載上する棚４を形設している。
【００１７】              以上の背ボトム５のフットボード１５側のへりに、ひざボトム６を蝶着し、そのひざボトム６のフットボード１５側のへりに、脚ボトム７を蝶着して、脚ボトム７のフットボード１５側のへりまたはその近接部を、フットボード１５側のフレーム１６上に蝶着して上方に突設した脚ボトムの前後の動きに従動して脚ボトムを高く支える部材（以下従動材８という。）の上端に蝶着している。
【００１８】              そうしてひざボトム６の中間１１に、フレーム１のフットボード側に蝶着してひざボトム６の中間に斜上した部材（以下、この部材を斜支材９といい、フレーム１との蝶着部を斜支材蝶着部１０という。）上端を蝶着している。
【００１９】              なおこの斜支材９下端とフレーム１との蝶着部１０は、
図１ａに示す、フレーム１上に背ボトム５、ひざボトム６及び脚ボトム７が高く水平に載上しているときの、ひざボトム６と斜支材９との蝶着部１７と、図１ｃに示す、背ボトム５を最大に背上げして、ひざボトム６の裏面がフレーム１上に平らに当接したときの、ひざボトム６と斜支材９の蝶着部１８の間の垂直２等分線１９上の、フレーム１の上のへりより十分低い位置１０に蝶着している。
【００２０】              フレーム１上の上支材２の高さは、背ボトム５が最大の角度に背上げできる高さにしている。
【００２１】  以上の、本発明のベットの構造を、正面から見ると、フレーム１上の上支材２から斜支材蝶着部１０までのフレームを固定節とし、
背ボトム５の上支材蝶着部３から背ボトム５とひざボトム６の蝶着部まで背ボトム。
背ボトム５とひざボトム６の蝶着部から斜支材蝶着部１７までのひざボトム。
及び斜支材で、４節リンク機構を形成している。
【００２２】              斜支材９。
斜支材９とひざボトムの蝶着部１１（１７）からひざボトムと脚ボトムの蝶着部までのひざボトム。
ひざボトムと脚ボトムの蝶着部から脚ボトムのフットボード側を高く支さえる上支材８の蝶着部までの脚ボトム。
及び上支材８フレーム１で５節リンク機構を形成している。
【００２３】              前項の５節リンクのひざボトム６は、背ボトム５の動きで動く限定した動きのリンクであるから、背ボトム、ひざボトム６および脚ボトム７は４節リンクと同様の限定した動きのリンクである。
【発明の効果】
【００２４】              図１ａに示す本発明のベットを背上げすると、図１ｂに示すように、背ボトム５は上傾して、ひざボトム６の背ボトム５側は降下して背ボトム側に傾き、ひざボトム６と脚ボトム７の連結部は山型に隆起する。
【００２５】              背ボトム５をさらに背上げすると、ひざボトム６はフレーム１に近づいて、背ボトム側に傾いていたひざボトム６は水平に近づいて、山型であった、ひざボトム６と背ボトム７の連結部は凹角に反転し、ひざボトム６の下面に当接すると図１ｃに示すようにフレーム１上に平らに当接し、脚ボトム７の傾斜は反転してヘットボード１４側に向かって傾斜する。
なおこのときの脚ボトム７の上支材８傾斜角は、３０度以上が望ましい。
【図面の簡単な説明】
【００２６】
【図１ａ】各ボトムが水平なときの本発明のベット
【図１ｂ】背ボトムを中間の角度に背上げしたときの本発明のベット
【図１ｃ】背ボトムを最大角度に背上げしたときの本発明のベット
【図２】フレーム上に背ボトム、ひざボトム及び脚ボトムが水平載上している従来のベット。
【図３】フレーム上に背ボトムを背上げし、ひざボトム及び脚ボトムが山型に隆起しているときの従来のベット。
【発明を実施するための形態】
【００２７】以上の説明のように本発明のベットは、背ボトム５の傾きに応じて、ひざボトム６及び脚ボトムが従動するリンク構造であるから、背ボトムの背上げ復帰の機構およびひざボトム６及び脚ボトム７を山形に隆起させ、復帰させるための機構は不要になり簡単な構造になった。
【００２８】            背ボトム５を背上げする軸１１は、ひざボトム６側のへりからヘッドボード側に離れた、ベットに迎臥した人の腰の位置であるから、ベットを背上げする力は著しく軽い。
【００２９】              フレーム上に背ボトム、ひざボトム及び脚ボトムとが水平に載上しているときのベットは高く、腰をかがめての治療・介護は楽になる。
【００３０】              背ボトム５を最大に背上げすると、上傾した背ボトムで上体を起こし、低く平らになったひざボトムに座ってから就床または離床できる。
【００３１】背ボトム５を水平に復帰するときは、上記の逆の現象でフレーム上に水平に復帰する。
【００３２】              しかし、背ボトム５の背上げの角度が大きくなると、背ボトム５の荷重は、ひざボトム６に移って、ひざボトム６を押し下げ、背ボトム５は急速に上傾するから、ベットにアクチュエータ９を装備するか、背ボトムを上傾し、ひざボトム６を降下させる荷重を釣り合わせる措置をする。
【００３３】              なお、ひざボトム６と斜支材９の間に圧縮コイルバネを装着すると、背ボトムを水平に復帰させるときの力を補える。
【００３４】              アクチュエータ９を使用すると、背ボトム５を一定の早さで、任意の角度に背上げでき安全で使いやすい。
【００３５】              本発明のベットは、ベットに横臥した人の体の動きでも背上げできるが、アクチュエータ９を装備すると、背ボトム５を容易に任意の角度に傾けられるから、健常者の読書、テレビ鑑賞の利用が期待される。
【００３６】              以上の本発明のベットは以上の説明のように、軽く動く簡素なリンク構造であるから、故障が少なく、故障しても単純な構造であるから、故障箇所の発見が早く、迅速な修理が可能である。
【産業上の利用可能性】
【００３７】              以上説明のように本発明は、極めて軽い負荷で背上げできる、簡単な構造のベットで、背ボトム、ひざボトム及び脚ボトムはを水平にしたときのベットは高いので、横臥者の治療・介護を容易にし、【００３８】            背ボトムを最大に上傾すると膝ボトムはフレームに低く平らに降下するから、背ボトムの端座して就床または離床でき、背ボトム５を適度に背上げすると、テレビ、読書が楽しめる。
【符号の説明】
【００３９】  １    フレーム
２    （背ボトムの）部材
３    背ボトムの蝶着部
４    棚
５    背ボトム
６    ひざボトム
７    脚ボトム
８    （脚ボトムを高く支える部材）従動材
９    斜支材
１０    斜支材とフレームの蝶着部
１１    ひざボトムと斜支材の蝶着部
１４    ヘッドボード
１５    フットボード
１６    フットボード側のフレーム
１７    各ボトムが水平の時のひざボトムと斜支材の蝶着部
１８    ひざボトムがフレームに当接したときのひざボトムと斜支材の蝶着部
１９    １７と１８の位置の垂直二等分線
３０    ベッド
３１    フレーム
３２    背ボトム
３３    ひざボトム
３４    脚ボトム
３５    ローラ
３６    背上げアーム
３７    長軸側アーム
３８    短軸側アーム
３９    フットボード
４０    背上げアームのＬ字形の角
４１    アクチュエータ
４２    スライドアーム
４３    ワイヤーロープ
４４    ひざボトムの上傾アーム
４５    ローラ
４６    長軸側のアーム
４８    ひざボトム上傾アームの角
４９
５０    ひざボトム上傾アームの短軸側
５１    ブラケット
５２    滑車
５３    アクチュエータのスイッチ
５４    アクチュエータのスイッチ
５５    ヘッドボード
【手続補正３】
【補正対象書類名】図面
【補正対象項目名】全図
【補正方法】変更
【補正の内容】
【図１ａ】
2010246872.tif 000008
【図１ｂ】
2010246872.tif 000009
【図１ｃ】
2010246872.tif 000010
【図２】
2010246872.tif 000011
【図３】
2010246872.tif 000012